(57)【要約】【課題】  光ディスクに固有の再生制御や記録制御の情報を、その光ディスク自体に記録しておくことにより、光ディスクを装置に装填するだけで、その光ディスクに合った記録動作や再生動作を行うことを可能とする。【解決手段】  光ディスク１に情報を記録するシステムコントローラ１０を備えた光ディスク装置において、システムコントローラ１０は、光ディスク１の所定の領域に当該光ディスク自体の制御情報を記録するとともに、光ディスク１の装填時に光ディスク１から制御情報を読み込んでＳＤＲＡＭ６の所定領域６ａに一旦記憶し、この記憶した制御情報に基づいてその後の処理を実行する。【選択図】  図１
2005116060.tif 000002
【特許請求の範囲】
【請求項１】
光ディスクに情報を記録するとともに記録した情報を再生する制御手段を備えた光ディスク装置において、
前記光ディスクの所定の領域に当該光ディスク自体の制御情報を記録するとともに、前記制御情報が、タイマー録画予約に関する記録制御情報及び光ディスクに記録されている複数のチャプタの再生順序情報を含む再生制御情報であり、
前記制御手段は、前記光ディスクの装填時に光ディスクから前記記録制御情報及び再生制御情報を読み込んで記憶手段に記憶する付加機能モードを実行するとともに、この記憶手段に記憶されている記録制御情報に基づいてその後のタイマー録画予約を実行し、前記記憶手段に記憶されている再生制御情報に基づいてその後の再生動作を実行する一方、オフ手段によって前記付加機能モードがオフされている場合には、装填された光ディスクを通常通り記録または再生処理することを特徴とすることを特徴とする光ディスク装置。
【請求項２】
光ディスクに情報を記録する制御手段を備えた光ディスク装置において、
前記光ディスクの所定の領域に当該光ディスク自体の制御情報を記録するとともに、前記制御手段は、前記光ディスクの装填時に光ディスクから前記制御情報を読み込んで実行することを特徴とする光ディスク装置。
【請求項３】
前記制御情報が当該光ディスクへの記録制御情報であることを特徴とする請求項２に記載の光ディスク装置。
【請求項４】
前記記録制御情報が、タイマー録画予約に関する制御情報であることを特徴とする請求項３に記載の光ディスク装置。
【請求項５】
光ディスクに記録されている情報を再生する制御手段を備えた光ディスク装置において、
前記光ディスクの所定の領域に当該光ディスク自体の制御情報を記録するとともに、前記制御手段は、前記光ディスクの装填時に光ディスクから前記制御情報を読み込んで実行することを特徴とする光ディスク装置。
【請求項６】
前記制御情報が当該光ディスクに記録されている情報を再生する再生制御情報であることを特徴とする請求項５に記載の光ディスク装置。
【請求項７】
前記再生制御情報が、前記光ディスクに記録されている複数のチャプタの再生順序情報を含むことを特徴とする請求項６に記載の光ディスク装置。
【請求項８】
光ディスクに情報を記録するとともに記録した情報を再生する制御手段を備えた光ディスク装置において、
前記光ディスクの所定の領域に当該光ディスク自体の制御情報を記録するとともに、前記制御情報が、光ディスクへの記録制御情報及び光ディスクに記録されている情報の再生制御情報であり、
前記制御手段は、前記光ディスクの装填時に光ディスクから前記記録制御情報及び再生制御情報を読み込んで実行することを特徴とする光ディスク装置。
【請求項９】
前記記録制御情報が、タイマー録画予約に関する制御情報であり、前記再生制御情報が、光ディスクに記録されている複数のチャプタの再生順序情報を含む制御情報であることを特徴とする請求項８に記載の光ディスク装置。
【請求項１０】
前記光ディスクの装填時に前記光ディスクから最初に読み込んだ制御情報を記憶する記憶手段を備えており、前記制御手段は、前記記憶手段に記憶されている制御情報に基づいて光ディスクに対するその後の制御を実行することを特徴とする請求項２ないし請求項９のいずれかに記載の光ディスク装置。
【請求項１１】
光ディスクの所定の領域に記録する制御情報を入力する入力手段と、
入力された制御情報を記憶する第２の記憶手段とを備えており、
前記制御手段は、光ディスクが装填されたとき、前記第２の記憶手段に記憶されている制御情報を装填された光ディスクの所定の領域に記録することを特徴とする請求項２、請求項５または請求項８に記載の光ディスク装置。
【請求項１２】
前記第２の記憶手段には、前記入力手段から入力された複数の光ディスクの制御情報が当該光ディスクの固有コードに対応して記憶されており、
前記制御手段は、光ディスクが装填されたとき、装填された光ディスクの固有コードに基づいて前記第２の記憶手段に記憶されている同じ固有コードの制御情報を読み出し、装填されている光ディスクの所定の領域に記録することを特徴とする請求項１１に記載の光ディスク装置。
【請求項１３】
前記光ディスクの装填時に光ディスクから前記制御情報を読み込んで実行する付加機能モードをオフするオフ手段を備えており、
前記制御手段は、前記オフ手段により付加機能モードがオフされている場合には、装填された光ディスクを通常通り処理することを特徴とする請求項２ないし請求項１２のいずれかに記載の光ディスク装置。
【発明の詳細な説明】
【技術分野】
【０００１】
本発明は、光ディスクに情報を記録するとともに記録した情報を再生する光ディスク装置に係り、より詳細には、光ディスクに付加された機能を光ディスク装置側で管理する光ディスク装置に関する。
【背景技術】
【０００２】
従来の光ディスク装置では、光ディスクの情報を装置側で管理して種々の制御を行うことが行われている。
例えば、複数の光ディスクを用いたデータ記録において、記録対象とする光ディスクを、各光ディスクの空き容量を考慮して適切に選択するようにした記録装置が提案されている（例えば、特許文献１参照）。この記録装置では、光ディスクの空き容量を装置側で管理している。
【０００３】
また、ユーザが入力したカスタムファイル上のタイトル名を再び入力することなく所望の光ディスクを短時間で選択再生できるディスク再生装置が提案されている（例えば、特許文献２参照）。このディスク再生装置では、各光ディスクのタイトル名を装置側で管理している。
【０００４】
【特許文献１】特開平１１−３５３７７８号公報
【特許文献２】特開平８−１８０６５８号公報
【発明の開示】
【発明が解決しようとする課題】
【０００５】
このように、従来の光ディスク装置では、光ディスクの各種情報を装置側で管理している。しかし、管理している情報は、上記したように、光ディスクの空き容量やタイトル名などであり、例えば光ディスクへの情報の記録パターンや記録した情報の再生パターンといった制御情報、すなわち制御プログラムを光ディスクの所定の領域に予め記録させておくような光ディスク装置はいまのところ提案されていない。
【０００６】
そのため、従来の光ディスク装置では、例えば特定の光ディスクにきまった番組をタイマー録画予約する場合、該当する光ディスクを装置に装填した後、ユーザ自身が例えばモニタ画面に表示されたタイマー録画予約のメニュー画面に従ってチャンネルや録画開始時刻及び録画終了時刻などを入力する必要があり、ユーザにとっては煩わしい操作が必要であった。また、誤入力等が発生する可能性もあるといった問題があった。また、Ｇコードで入力する場合はユーザの手間が軽減されるものの、Ｇコードを入力すること自体もユーザにとっては煩わしい場合があった。
【０００７】
また、複数のチャプタ（番組）が記録されている光ディスクを再生する場合、最初から連続再生する場合は再生ボタンを押すだけの操作で良いが、複数のチャプタの中で特定のチャプタを連続再生したい場合などは、モニタ画面に表示された特殊再生のメニュー画面に従って再生順及び再生回数等をユーザがその都度入力して設定しなければならず、煩わしい操作が必要であった。
【０００８】
本発明はかかる問題点を解決すべく創案されたもので、その目的は、光ディスクに固有の再生制御や記録制御の情報を、その光ディスク自体に記録しておくことにより、ユーザは、光ディスクを装置に装填するだけで、その光ディスクに合った記録動作や再生動作を行うことができる光ディスク装置を提供することにある。
【課題を解決するための手段】
【０００９】
本発明の光ディスク装置は、光ディスクに情報を記録する制御手段を備えた光ディスク装置において、前記光ディスクの所定の領域に当該光ディスク自体の制御情報を記録するとともに、前記制御手段は、前記光ディスクの装填時に光ディスクから前記制御情報を読み込んで実行することを特徴としている。ここで、前記制御情報は、当該光ディスクへの記録制御情報であり、例えばタイマー録画予約に関する制御プログラムとすることができる。
【００１０】
このような特徴を有する本発明によれば、録画専用の光ディスク自体にタイマー録画予約に関する記録制御プログラムを予め記録しておき、光ディスクが装填されたとき装置側でこの記録制御プログラムを読み込んで実行する。これにより、ユーザはいちいち録画予約のための設定操作を行わなくても、所定の時間になれば所望する番組を自動的に録画することが可能となる。また、ユーザが設定操作を行う必要がないので、誤入力といったミスも発生しない。
【００１１】
また、本発明の光ディスク装置は、光ディスクに記録されている情報を再生する制御手段を備えた光ディスク装置において、前記光ディスクの所定の領域に当該光ディスク自体の制御情報を記録するとともに、前記制御手段は、前記光ディスクの装填時に光ディスクから前記制御情報を読み込んで実行することを特徴としている。ここで、前記制御情報は、当該光ディスクに記録されている情報を再生する再生制御情報であり、例えば前記光ディスクに記録されている複数のチャプタの再生順序情報を含む制御プログラムとすることができる。
【００１２】
このような特徴を有する本発明によれば、光ディスク自体にチャプタの再生順次を含む再生制御プログラムを予め記録しておき、光ディスクが装填されたとき装置側でこの再生制御プログラムを読み込んで実行する。これにより、ユーザはいちいち再生順序や再生回数のための設定操作を行わなくても、所望する番組を所望する順番で所望する回数だけ自動的に再生することが可能となる。また、ユーザが設定操作を行う必要がないので、誤入力といったミスも発生しない。
【００１３】
また、本発明の光ディスク装置は、光ディスクに情報を記録するとともに記録した情報を再生する制御手段を備えた光ディスク装置において、前記光ディスクの所定の領域に当該光ディスク自体の制御情報を記録するとともに、前記制御情報が、光ディスクへの記録制御情報及び光ディスクに記録されている情報の再生制御情報であり、前記制御手段は、前記光ディスクの装填時に光ディスクから前記記録制御情報及び再生制御情報を読み込んで実行することを特徴としている。ここで、前記記録制御情報は、例えばタイマー録画予約に関する記録制御プログラムであり、前記再生制御情報は、例えば光ディスクに記録されている複数のチャプタの再生順序情報を含む再生制御プログラムである。
【００１４】
このような特徴を有する本発明によれば、ユーザはいちいち録画予約のための設定操作を行わなくても、所定の時間になれば所望する番組を自動的に録画することが可能となる。ユーザはいちいち再生順序や再生回数のための設定操作を行わなくても、所望する番組を所望する順番で所望する回数だけ自動的に再生することが可能となる。さらに、ユーザが設定操作を行う必要がないので、誤入力といったミスも発生しない。
【００１５】
また、本発明の光ディスク装置は、前記光ディスクの装填時に前記光ディスクから最初に読み込んだ制御情報を記憶する記憶手段をさらに備えており、前記制御手段は、前記記憶手段に記憶されている制御情報に基づいて光ディスクに対するその後の制御を実行するように構成してもよい。このような構成とすれば、光ディスクが装填された時点で１度だけ制御情報の読み込みを行えば、その後はいちいち光ディスクから制御情報を読み込まなくても、記憶手段に記憶されている制御情報に基づいてその後の制御を実行することができる。
【００１６】
また、本発明の光ディスク装置は、光ディスクの所定の領域に記録する制御情報を入力する入力手段と、入力された制御情報を記憶する第２の記憶手段とをさらに備えており、前記制御手段は、光ディスクが装填されたとき、前記第２の記憶手段に記憶されている制御情報を装填された光ディスクの所定の領域に記録するように構成してもよい。このような構成とすれば、光ディスクの制御情報を変更したい場合において、光ディスクが装置に装填されていなくても、変更したいと思い立った時点で予め第２の記憶手段に記憶させておけば、その光ディスクを装置に装填した時点で、自動的に制御情報を更新する（すなわち、書き換える）ことができる。これにより、ユーザによる更新忘れ等のミスを防止することができる。
【００１７】
この場合、前記第２の記憶手段には、前記入力手段から入力された複数の光ディスクの制御情報が当該光ディスクの固有コードに対応して記憶されており、前記制御手段は、光ディスクが装填されたとき、装填された光ディスクの固有コードに基づいて前記第２の記憶手段に記憶されている同じ固有コードの制御情報を読み出し、装填されている光ディスクの所定の領域に記録するように構成してもよい。このような構成とすれば、例えば複数の光ディスクを記録専用、再生専用というように使い分けしている場合において、任意の光ディスクの制御情報を更新したい場合に、該当する光ディスクが装置に装填されていなくても、変更したいと思い立った時点で予め第２の記憶手段に変更したい制御情報を記憶させておけば、その光ディスクを装置に装填した時点で、自動的に制御情報を更新する（すなわち、書き換える）ことができる。これにより、ユーザによる更新忘れ等のミスを防止することができる。
【００１８】
また、本発明の光ディスク装置は、前記光ディスクの装填時に光ディスクから前記制御情報を読み込んで実行する付加機能モードをオフするオフ手段を備えており、前記制御手段は、前記オフ手段により付加機能モードがオフされている場合には、装填された光ディスクを通常通り処理するように構成してもよい。このような構成とすれば、ユーザが、例えば再生専用として使用していた光ディスクに新たな番組を録画したい場合には、付加機能モードをオフしておくことで、この光ディスクが装填されたとき、自動的に付加機能モードに移行することなく、通常の光ディスクとして使用することが可能となる。
【発明の効果】
【００１９】
本発明の光ディスク装置によれば、光ディスクの所定の領域に当該光ディスク自体の制御情報を記録するとともに、光ディスクの装填時に光ディスクから制御情報を読み込んで実行するように構成している。すなわち、個々の光ディスクに固有の制御を当該光ディスク自体に記録しておくことにより、その光ディスクを装置に装填するだけで、ユーザは何らボタン操作を行うことなく、その光ディスクに固有の記録制御または再生制御または記録再生制御を行うことができる。これにより、ユーザによる誤入力も防止することができる。
【００２０】
また、本発明の光ディスク装置によれば、光ディスクの制御情報を変更したい場合において、光ディスクが装置に装填されていなくても、変更したいと思い立った時点で予め第２の記憶手段に変更したい制御情報を記憶させておけば、その光ディスクを装置に装填した時点で、自動的に制御情報を更新することができる。これにより、ユーザによる更新忘れ等のミスを防止することができる。
【発明を実施するための最良の形態】
【００２１】
以下、本発明の実施の形態について、図面を参照して説明する。
図１は、本発明の光ディスク装置の一実施形態であるＤＶＤ装置のシステム構成を示している。
【００２２】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００２３】
デジタル信号処理回路７には、記録動作時や再生動作時にデータを一時的に蓄積するバッファとしてのＳＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、図示しないテレビチューナ等の外部機器を接続可能な外部入力端子１６がＡ／Ｄ変換回路１７を介して接続されている。
【００２４】
システムコントローラ１０には、光ディスク１のパラメータやレーザパワーのパラメータ等の固有情報を記憶しておくためのＥＥＰＲＯＭ１１が双方向に接続されるとともに、現在時刻を計時する時計部１３が接続されている。また、システムコントローラ１０には、テンキーや各種機能キーを有するリモコン１８からの赤外線信号を受信する受信部１４が接続されている。
【００２５】
デジタル信号処理回路７は、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、外部入力端子１６から入力された映像情報等のデジタルデータを、光ディスク１（ただし、ハードディスク（ＨＤ）を内蔵している場合にはハードディスク等を含む）に書き込むためのデータ圧縮等の処理を行う。
【００２６】
システムコントローラ１０は、光ディスク１の所定の領域に当該光ディスク１自体の制御情報（記録制御情報や再生制御情報等）を記録する処理を実行する。また、システムコントローラ１０は、光ディスク１の装填時に光ディスク１の所定の領域から制御情報を読み込んでＳＤＲＡＭ６の所定領域６ａに記録する付加機能モードを実行するとともに、その後はこのＳＤＲＡＭ６の所定領域６ａに記憶されている制御情報に基づいて処理を実行する。すなわち、光ディスク１の所定の領域をその都度サーチしに行くのではなく、制御情報を一度読み込んだ後は、ＳＤＲＡＭ６の所定領域６ａに記憶されている制御情報でその後の処理を実行するようになっている。
【００２７】
図２は、光ディスク１のデータ記録レイアウトを模式的に示した説明図である。
光ディスク１は、内周側からリードイン領域１ａ、ボリュームアンドファイルストラクチャ（Volume＆File Structure)と称される制御データ領域１ｂ、絵のストリーム情報領域１ｃ、リードアウト領域１ｄとなっている。上記した制御情報を記録する所定の領域は、本実施形態では、このボリュームアンドファイルストラクチャ１ｂの最後のところに固定ファイル情報１ｂ１として設定されている。
【００２８】
次に、上記構成のＤＶＤ装置において、光ディスク１の所定の領域１ｂ１に制御情報を記録する実施例、記録した制御情報の内容に応じて処理を実行する実施例について説明する。
【実施例１】
【００２９】
本実施例１は、光ディスク１の所定の領域１ｂ１にユーザの所望する種々の制御情報を記録する場合の実施例である。以下、図３に示す各種入力画面例を参照して説明する。
【００３０】
光ディスク１に制御情報を記録する場合、ユーザは、その光ディスク１を装置に装填し、リモコン１８の図示しないメニューボタンを操作し、表示装置２１のモニタ画面に表示された図３（ａ）に示すメニュー一覧から、制御情報を光ディスク１の所定の領域１ｂ１に記録する付加機能を選択し、リモコン１８の図示しない決定ボタンを操作する。これにより、モニタ画面には、図３（ｂ）に示すように制御情報の種類が表示されるので、ユーザはこの中から所望する制御情報を選択する。例えば「記録」を選択した場合には、装填されている光ディスク１の付加機能が記録専用となる。また、「再生」を選択した場合には、装填されている光ディスク１の付加機能が再生専用となる。さらに、「記録と再生」を選択した場合には、装填されている光ディスク１の付加機能が記録再生用となる。
【００３１】
ここで、ユーザが例えば「記録」を選択した場合には、図３（ｃ）に示すように、モニタ画面に例えばタイマー録画予約の画面が表示されるので、ユーザは、その画面に従ってタイマー録画予約を行う。この場合、画面上部に表示されているように、月日、開始時刻、終了時刻、チャンネル（ＣＨ）、記録モード等を個々に入力してもよいし、画面下部に表示されているように、Ｇコードを利用して日時を入力してもよい。この後、決定ボタンを操作すると、システムコントローラ１０は、設定されたチャンネルの番組情報を記録するような記録制御情報（記録制御プログラム）を生成して光ディスク１の所定の領域１ｂ１に記録する。
【００３２】
また、ユーザが例えば「再生」を選択した場合には、図３（ｄ）に示すように、各チャプタ（番組）の再生順序や連続再生回数を設定する画面が表示されるので、ユーザは、その設定画面から所望する再生順序や連続再生回数を入力し、決定ボタンを操作すると、システムコントローラ１０は、設定された再生順序及び連続再生回数で光ディスク１の再生動作を行うような再生制御情報（再生制御プログラム）を生成して光ディスク１の所定の領域１ｂ１に記録する。
【００３３】
なお、ユーザが「記録と再生」を選択した場合には、図３（ｃ）に示す設定画面の後に図３（ｄ）に示す設定画面を表示して、順次設定を行えばよい。
ただし、図３に示した設定例はあくまで一例であり、このような設定画面に限定されるものではない。
【実施例２】
【００３４】
本実施例２は、光ディスク１の記録制御情報として１つの番組のタイマー録画予約の情報が記録されている場合の実施例である。以下、図４に示すフローチャートを参照して説明する。
【００３５】
例えば、タイマー録画予約の情報が、８月１０日、午後７時から８時まで、６ＣＨを標準モードで記録するといった情報であったとする。システムコントローラ１０は、この記録制御情報が記録された光ディスク１が装填されると（ステップＳ１１でＹｅｓと判断されると）、ボリュームアンドファイルストラクチャ１ｂの領域をサーチするときに、所定の領域１ｂ１もサーチしてタイマー録画予約情報を読み込み（ステップＳ１２）、ＳＤＲＡＭ６の所定領域６ａに記憶して、その後の処理を実行する（ステップＳ１３）。
【００３６】
すなわち、システムコントローラ１０は、時計部１３からの現在時刻情報に基づいて、タイマー録画の開始日時になったかどうかを確認する（ステップＳ１４）。そして、録画開始日時になると（ステップＳ１４でＹｅｓと判断されると）、設定されたチャンネルの番組情報を光ディスク１に記録する処理を開始する（ステップＳ１５）。次に、システムコントローラ１０は、時計部１３からの現在時刻情報に基づいて、タイマー録画の終了時刻になったかどうかを確認し（ステップＳ１６）、終了時刻になると（ステップＳ１６でＹｅｓと判断されると）、光ディスク１への記録を停止する（ステップＳ１７）。
【実施例３】
【００３７】
本実施例３は、光ディスク１に記録制御情報として連続ドラマをタイマー録画予約する情報が記録されている場合の上記実施例２の変形実施例である。以下、図５に示すフローチャートを参照して説明する。
【００３８】
例えば、タイマー録画予約の情報が、月曜日から金曜日の午後７時から８時まで、１０ＣＨを３倍モードで記録するといった情報であったとする。システムコントローラ１０は、この記録制御情報が記録された光ディスク１が装填されると（ステップＳ２１でＹｅｓと判断されると）、ボリュームアンドファイルストラクチャ１ｂの領域をサーチするときに、所定の領域１ｂ１もサーチして連続ドラマのタイマー録画予約情報を読み込み（ステップＳ２２）、ＳＤＲＡＭ６の所定領域６ａに記憶して、その後の処理を実行する（ステップＳ２３）。
【００３９】
すなわち、システムコントローラ１０は、時計部１３からの年月日情報に基づいて、本日の曜日が月曜から金曜までのいずれかの曜日であるかを確認し（ステップＳ２４）、月曜から金曜までのいずれかの曜日である場合（ステップＳ２４でＹｅｓと判断された場合）には、時計部１３からの現在時刻情報に基づいて、タイマー録画の開始時刻になったかどうかを確認する（ステップＳ２５）。そして、録画開始時刻になると（ステップＳ２５でＹｅｓと判断されると）、設定されたチャンネルの番組情報を光ディスク１に記録する処理を開始する（ステップＳ２６）。次に、システムコントローラ１０は、時計部１３からの現在時刻情報に基づいて、タイマー録画の終了時刻になったかどうかを確認し（ステップＳ２７）、終了時刻になると（ステップＳ２７でＹｅｓと判断されると）、光ディスク１への記録を停止し（ステップＳ２８）、ステップＳ２４に戻って、曜日の判断から繰り返す。このような処理により、月曜から金曜までの連続ドラマが光ディスク１に順次記録されることになる。
【００４０】
以上説明したように、上記実施例２及び実施例３では、録画専用の光ディスク１自体にタイマー録画予約に関する記録制御プログラムを予め記録しておき、光ディスク１が装填されたとき装置側でこの記録制御プログラムを読み込んで実行することにより、ユーザがいちいち録画予約のための設定操作を行わなくても、所定の時間になれば所望する番組を自動的に録画することが可能となる。また、ユーザが光ディスクを装填時に設定操作を行う必要がないので、誤入力といったミスも発生しない。
【００４１】
なお、記録制御情報としては、上記実施例２や実施例３に限らず、ユーザが好みに応じて自由に設定することが可能である。例えば、連続ドラマのタイマー録画予約では、通常撮りだめした一週間分の番組を土曜日や日曜日に一気に見る場合が多いので、このような場合には、次の一週間分の番組を上書きで記録するように予めプログラムしておいてもよい。または、一度再生されたことを確認した場合にのみ上書きで記録するようにしてもよい。
【実施例４】
【００４２】
本実施例４は、光ディスク１に記録された再生制御情報として、最初から最後まで順に再生した後、光ディスク１をイジェクトするといった内容の制御情報が記録されている場合の実施例である。以下、図６に示すフローチャートを参照して説明する。
【００４３】
この再生制御情報が記録された光ディスク１が装填されると（ステップＳ３１でＹｅｓと判断されると）、システムコントローラ１０は、ボリュームアンドファイルストラクチャ１ｂの領域をサーチするときに、所定の領域１ｂ１もサーチして再生制御情報を読み込み（ステップＳ３２）、ＳＤＲＡＭ６の所定領域６ａに記憶して、その後の処理を実行する（ステップＳ３３）。
【００４４】
すなわち、システムコントローラ１０は、光ディスク１の絵のストリーム情報領域１ｃに記録されている最初の番組（チャプタ１）から最後の番組まで順次再生する（ステップＳ３４）。そして、最後の番組（最後のチャプタ）まで再生し終わると（ステップＳ３５でＹｅｓと判断されると）、再生動作を終了して、光ディスク１をイジェクトする（ステップＳ３６）。
【実施例５】
【００４５】
本実施例５は、光ディスク１に記録された再生制御情報として、例えば光ディスク１にチャプタ１からチャプタ１０までの情報（番組情報）が記録されている場合に、チャプタ１を連続２回再生し、チャプタ２からチャプタ９までは連続１回再生して、最後にチャプタ１０を連続２回再生すると光ディスク１をイジェクトするといった内容の制御情報が記録されている場合の実施例である。以下、図７に示すフローチャートを参照して説明する。
【００４６】
この再生制御情報が記録された光ディスク１が装填されると（ステップＳ４１でＹｅｓと判断されると）、システムコントローラ１０は、ボリュームアンドファイルストラクチャ１ｂの領域をサーチするときに、所定の領域１ｂ１もサーチして再生制御情報を読み込み（ステップＳ４２）、ＳＤＲＡＭ６の所定領域６ａに記憶して、その後の処理を実行する（ステップＳ４３）。
【００４７】
すなわち、システムコントローラ１０は、光ディスク１の絵のストリーム情報領域１ｃに記録されている最初の番組（チャプタ１）の再生を開始し（ステップＳ４４）、その再生がチャプタ１の２回目の再生であるか否かを確認する（ステップＳ４５）。その結果、１回目の再生である場合には、チャプタ１の再生後、ステップＳ４５からステップＳ４４に戻って、再びチャプタ１の再生を開始する。一方、その再生が２回目の再生である場合（ステップＳ４５でＹｅｓと判断された場合）には、チャプタ１を再生後、次にチャプタ２からチャプタ９までを連続して１回再生し（ステップＳ４６）、最後にチャプタ１０の再生を開始すると（ステップＳ４７）、その再生が２回目の再生であるか否かを確認する（ステップＳ４８）。その結果、１回目の再生である場合には、チャプタ１０の再生後、ステップＳ４８からステップＳ４７に戻って、再びチャプタ１０の再生を開始する。一方、その再生が２回目の再生である場合（ステップＳ４８でＹｅｓと判断された場合）には、チャプタ１０の再生を終了すると、再生動作を終了して光ディスク１をイジェクトする（ステップＳ４９）。
【００４８】
以上説明したように、上記実施例４及び実施例５では、再生専用の光ディスク１自体に再生回数や再生順序を含む再生制御プログラムを予め記録しておき、光ディスク１が装填されたとき装置側でこの再生制御プログラムを読み込んで実行することにより、ユーザがいちいち再生のための設定操作を行わなくても、光ディスク１を装置に装填するだけで自動的にユーザの所望するパターンの再生動作を開始することができる。また、ユーザが光ディスク１を装填した時点で再生パターンの設定操作を行う必要がないので、誤入力といったミスも発生しない。
【００４９】
なお、再生制御情報としては、上記実施例４や実施例５に限らず、ユーザが好みに応じて自由に設定することが可能である。
【実施例６】
【００５０】
本実施例６は、光ディスク１に記録制御情報として月曜から金曜までの一週間分の連続ドラマをタイマー録画予約するといった内容の情報が記録されており、再生制御情報として、一週間分の録画を終了すると、翌日の土曜日の昼（例えば１２時）から録画したドラマを最初から再生するといった内容の情報が記録されている場合の実施例である。以下、図８に示すフローチャートを参照して説明する。
【００５１】
システムコントローラ１０は、この記録制御情報が記録された光ディスク１が装填されると（ステップＳ５１でＹｅｓと判断されると）、ボリュームアンドファイルストラクチャ１ｂの領域をサーチするときに、所定の領域１ｂ１もサーチして連続ドラマのタイマー録画予約情報を読み込み（ステップＳ５２）、ＳＤＲＡＭ６の所定領域６ａに記憶して、その後の処理を実行する（ステップＳ５３）。
【００５２】
すなわち、システムコントローラ１０は、時計部１３からの年月日情報に基づいて、本日の曜日が月曜から金曜までのいずれかの曜日であるかを確認し（ステップＳ５４）、月曜から金曜までのいずれかの曜日である場合（ステップＳ５４でＹｅｓと判断された場合）には、時計部１３からの現在時刻情報に基づいて、タイマー録画の開始日時になったかどうかを確認する（ステップＳ５５）。そして、録画開始日時になると（ステップＳ５５でＹｅｓと判断されると）、設定されたチャンネルの番組情報を光ディスク１に記録する処理を開始する（ステップＳ５６）。次に、システムコントローラ１０は、時計部１３からの現在時刻情報に基づいて、タイマー録画の終了時刻になったかどうかを確認し（ステップＳ５７）、終了時刻になると（ステップＳ５７でＹｅｓと判断されると）、光ディスク１への記録を停止する（ステップＳ５８）。そして次に、一週間分の録画が終了したかどうかを確認し（ステップＳ５９）、一週間分の録画が終了していない場合（ステップＳ５９でＮｏと判断された場合）には、ステップＳ５４に戻って、曜日の判断から繰り返す。このような処理により、月曜から金曜までの連続ドラマが光ディスク１に順次記録されることになる。
【００５３】
一方、このようにして一週間分の録画が終了すると（ステップＳ５９でＹｅｓと判断されると）、システムコントローラ１０は、時計部１３からの日時情報に基づいて、再生曜日の再生開始時刻になったかどうかを確認する（ステップＳ６０）。その結果、再生開始曜日の再生開始時刻になると（ステップＳ６０でＹｅｓと判断されると）、最初に読み込んでおいた再生制御情報に基づき、一週間分の連続ドラマを最初から順次再生する処理を実行する（ステップＳ６１）。そして、金曜日のドラマの再生を終了すると（ステップＳ６２でＹｅｓと判断されると）、再生動作を終了して光ディスク１をイジェクトする（ステップＳ６２）。
【００５４】
なお、記録制御情報や再生制御情報は、本実施例６の内容に限るものではなく、ユーザの好みに応じて自由に設定することが可能である。
【００５５】
次に、本発明の光ディスク装置の他の実施形態について説明する。
上記実施形態では、光ディスク１の所定の領域１ｂ１への制御情報の記録を、光ディスク１を装置に装填した状態で直接記録するようにしている（実施例１参照）が、本実施形態では、対象となる光ディスク１が装置に装填されているか否かに係わらず、制御情報の入力を可能としたものである。
【００５６】
すなわち、ＳＤＲＡＭ６の所定領域６ｂに、光ディスク１へ記録するための制御情報を予め記憶しておく領域を設けておき、その所定領域６ｂに、制御情報を一旦記憶させておく。そして、対象となる光ディスク１が装置に装填されたとき、システムコントローラ１０がＳＤＲＡＭ６の所定領域６ｂから該当する制御情報を読み出し、光ディスク１の所定の領域１ｂ１に記録するように構成している。この処理は、上記付加機能モードの実行前に行われる。
【００５７】
図９は、ＳＤＲＡＭ６の所定領域６ｂに記憶される制御情報のデータ構成例を示している。
【００５８】
この例では、対象となる光ディスクの制御情報が１０個まで記録可能となっており、光ディスクの固有コードと、入力された制御情報とが対応付けられて記憶されている。この場合、制御情報の入力方法は上記実施例１で説明した方法を採用することができるが、本実施形態では個々の光ディスク１を区別する必要があるため、図３（ａ）に示すメニュー画面から図３（ｂ）に示す制御情報の選択画面に行く前に、図示は省略しているが固有コードの入力画面が用意されている。従って、この入力画面に対応とする光ディスクの固有コードを入力することで、その後設定される制御情報と固有コードとを対応付けることが可能となる。
【００５９】
この場合、固有コードの入力は、個々の光ディスクに割り当てられている例えば８桁等の数字をディスク表面等に予め印刷しておき、ユーザがこの数字を見ながら直接入力するようにしてもよい。または、実際の固有コードと対応させたもっと簡単な数字（例えば、Ａ０１等の３桁の記号数字等）をディスク表面に予め印刷しておき、ユーザがこの３桁の記号数字を入力することで、実際の８桁等の固有コードが入力されるようにしておいてもよい。
【００６０】
そして、このようにしてＳＤＲＡＭ６の所定領域６ｂに複数の光ディスクのそれぞれに対応した制御情報を記憶させておくと、例えば図９に示す固有コード（例えば「ａａａａ・・・」）の光ディスク１が装置に装填されたとき、システムコントローラ１０は、装填された光ディスク１から当該光ディスクの固有コードを読み取り、その読み取った固有コードをキーとしてＳＤＲＡＭ６の所定領域６ｂを検索し、同じ固有コードがある場合には、その固有コードに対応している制御情報（ここでは「タイマー録画予約情報」）を読み込んで、装填されている光ディスク１の所定の領域１ｂに記録する。
【００６１】
ここで、このようなＳＤＲＡＭ６の所定領域に記憶される制御情報は、その光ディスクに最初に記録する制御情報である必要はない。例えば、今までは再生専用として使用していた光ディスク１であり、所定の領域１ｂ１には再生制御情報が記録されていたが、その内容を見飽きてしまったために別の新たな番組を録画したい場合がある。このような場合には、ＳＤＲＡＭ６の所定領域６ｂに、その光ディスク１の固有コードとともに、所望する記録制御情報を書き込んでおく。これにより、その光ディスク１を装置に装填すると、システムコントローラ１０は、装填された光ディスク１から当該光ディスクの固有コードを読み取り、その読み取った固有コードをキーとしてＳＤＲＡＭ６の所定領域６ｂを検索し、同じ固有コードがある場合には、その固有コードに対応している記録制御情報を読み込んで、装填されている光ディスク１の所定の領域１ｂ１に上書き記録する。これにより、再生専用であった光ディスク１が今度は記録専用として使用されることになる。
【００６２】
なお、上記各実施形態では、光ディスク１が装置に装填されると、ボリュームアンドファイルストラクチャ１ｂの領域をサーチするときに、同時に所定の領域１ｂ１もサーチして制御情報を読み込む付加機能モードを常に実行するようにしているが、このような付加機能モードを実行させずに、装填された光ディスクを通常の光ディスクとして使用したい場合がある。そのため、本実施形態では、リモコン１８に付加機能モードの実行をオフするオフキー（図示省略）を設けておき、光ディスク１を装置に装填する前（または装填後）に、このオフキーを操作することで、付加機能モード、すなわち光ディスク１の所定の領域１ｂ１に記録されている制御情報を読み込む処理動作を行わないように構成してもよい。
【図面の簡単な説明】
【００６３】
【図１】本発明に係わるＤＶＤ装置のシステム構成図である。
【図２】光ディスクのデータ記録レイアウトを模式的に示した説明図である。
【図３】光ディスクの所定の領域にユーザの所望する種々の制御情報を記録する場合の実施例１の処理動作を説明するための各種入力画面例を示す説明図である。
【図４】実施例２の処理動作を説明するためのフローチャートである。
【図５】実施例３の処理動作を説明するためのフローチャートである。
【図６】実施例４の処理動作を説明するためのフローチャートである。
【図７】実施例５の処理動作を説明するためのフローチャートである。
【図８】実施例６の処理動作を説明するためのフローチャートである。
【図９】ＳＤＲＡＭの所定領域に記憶される制御情報のデータ構成例を示す説明図である。
【符号の説明】
【００６４】
１  光ディスク
２  スピンドルモータ
３  光ピックアップ
４  フィードモータ
５  ＲＦアンプ
６  ＳＤＲＡＭ
６ａ，６ｂ  所定領域
７  デジタル信号処理回路
８  レーザドライバ
９  サーボ処理回路
１０  システムコントローラ
１１  ＥＥＰＲＯＭ
１２  Ｄ／Ａ変換回路
１３  時計部
１４  受信部
１６  外部入力端子
１７  Ａ／Ｄ変換回路
１８  リモコン
【図１】
2005116060.tif 000003
【図２】
2005116060.tif 000004
【図３】
2005116060.tif 000005
【図４】
2005116060.tif 000006
【図５】
2005116060.tif 000007
【図６】
2005116060.tif 000008
【図７】
2005116060.tif 000009
【図８】
2005116060.tif 000010
【図９】
2005116060.tif 000011